(57)【要約】【課題】セキュリティシステムの送信機において、成型品たる箱体と蓋との間の防水をする防水パッキンの硬度を防水性の確保のために小さくしたとしても、防水パッキンが、嵌合保持されている成型品から外れ難くする。【解決手段】セキュリティシステムの送信機２は、電子部品２４が実装された基板２７と、基板２７を収納する箱体５１、及び箱体５１を覆う蓋５２を有する筐体５と、箱体５１と蓋５２との間の防水性を確保するための箱体用防水パッキン５３とを備える。蓋５２は、箱体用防水パッキン５３を嵌合保持すると共に、この箱体用防水パッキン５３を保持する箇所に貫通孔を有する。箱体用防水パッキン５３が蓋５２の貫通孔に嵌挿されて蓋５２に保持されるので、箱体用防水パッキン５３の硬度を防水性の確保のために小さくしたとしても、箱体用防水パッキン５３が、嵌合保持されている蓋５２から外れ難い。【選択図】図４
2011009458.tif 000002
【特許請求の範囲】
【請求項１】
ＩＤデータの送受信を行い、該ＩＤデータに基づいて電気錠の開閉を行うセキュリティシステムの送信機において、
前記ＩＤデータを予め記憶し、該ＩＤデータを送信する電子回路を含む電子部品と、
前記電子部品が実装された基板と、
前記基板を収納する箱体、及び該箱体を覆う蓋を有する筐体と、
前記箱体と蓋との間の防水性を確保するための箱体用防水パッキンと、を備え、
前記蓋は、該蓋内に前記防水パッキンが保持されると共に、この防水パッキンが配設されている箇所に貫通孔を有し、
前記防水パッキンは、前記貫通孔に嵌挿されて該蓋へ保持されていることを特徴とするセキュリティシステムの送信機。
【請求項２】
前記蓋に固定される前面カバーと、
前記蓋と前面カバーとの間の防水性を確保するための蓋用防水パッキンと、を更に備え、
前記箱体用防水パッキンと蓋用防水パッキンは、前記貫通孔で接続されていることを特徴とする請求項１に記載のセキュリティシステムの送信機。
【発明の詳細な説明】
【技術分野】
【０００１】
本発明は、ＩＤデータを送受信するセキュリティシステムの送信機に関する。
【背景技術】
【０００２】
従来から、セキュリティシステムの送信機として、アンテナ等の電子部品が実装された基板を筐体に収納した送信機が知られている（例えば、特許文献１参照）。このような送信機においては、筐体に水が掛かった場合に水が浸入し、故障する虞がある。
【０００３】
そこで、送信機の筐体を成す樹脂成型品である箱体と蓋のいずれかに二色成型やインサート成型によって防水パッキンを融着保持させ、箱体と蓋の間の防水性を確保することが知られている。この防水パッキンの融着力は、硬度が大きい防水パッキンでは強いが、硬度の小さい防水パッキンでは弱い。しかしながら、硬度の大きい防水パッキンでは、箱体と蓋を組み付けたときに防水パッキンを押さえきれずに隙間ができたり、箱体や蓋がそり反ったりして防水性が確保できない虞がある。このために、硬度が、例えば２０°〜４０°のように小さい防水パッキンしか使用できないが、融着力が弱いので、成型品との嵌め込み形状によっては、組立工程時に防水パッキンが成型品から外れ易くなる。また、使用時においても電池交換等で防水パッキンが露出したときに手で触れた場合、外れ易くなる。
【先行技術文献】
【特許文献】
【０００４】
【特許文献１】実開平１−８６３３１号公報
【発明の概要】
【発明が解決しようとする課題】
【０００５】
本発明は、上記問題を解消するものであり、成型品たる箱体と蓋との間を防水する防水パッキンの硬度を防水性の確保のために小さくしたとしても、防水パッキンが、保持されている成型品から外れ難いセキュリティシステムの送信機を提供することを目的とする。
【課題を解決するための手段】
【０００６】
上記目的を達成するために請求項１の発明は、ＩＤデータの送受信を行い、該ＩＤデータに基づいて電気錠の開閉を行うセキュリティシステムの送信機において、前記ＩＤデータを予め記憶し、該ＩＤデータを送信する電子回路を含む電子部品と、前記電子部品が実装された基板と、前記基板を収納する箱体、及び該箱体を覆う蓋を有する筐体と、前記箱体と蓋との間の防水性を確保するための箱体用防水パッキンと、を備え、前記蓋は、該蓋内に前記防水パッキンが保持されると共に、この防水パッキンが配設されている箇所に貫通孔を有し、前記防水パッキンは、前記貫通孔に嵌挿されて該蓋へ保持されているものである。
【０００７】
請求項２の発明は、請求項１に記載のセキュリティシステムの送信機において、前記蓋に固定される前面カバーと、前記蓋と前面カバーとの間の防水性を確保するための蓋用防水パッキンと、を更に備え、前記箱体用防水パッキンと蓋用防水パッキンは、前記貫通孔で接続されているものである。
【発明の効果】
【０００８】
請求項１の発明によれば、箱体用防水パッキンが蓋の貫通孔に嵌挿されて蓋に嵌合保持されるので、箱体用防水パッキンの硬度を防水性の確保のために小さくしたとしても、箱体用防水パッキンが、嵌合保持されている蓋から外れ難い。これにより組立工程時の作業性は良好となる。
【０００９】
請求項２の発明によれば、蓋用防水パッキンと箱体用防水パッキンとが貫通孔を介して接続されているので、上記と同様の効果が得られる。
【図面の簡単な説明】
【００１０】
【図１】本発明の第１の実施形態に係るセキュリティシステムの構成図。
【図２】同セキュリティシステムの送信機とタグリーダの構成図。
【図３】（ａ）は同セキュリティシステムの送信機を斜め上方から見た外観図、（ｂ）は同送信機を斜め下方から見た外観図。
【図４】（ａ）は同送信機の分解斜視図、（ｂ）は（ａ）におけるＡ部分での箱体用防水パッキンの斜視図、（ｃ）は同送信機の蓋の裏面を斜め上方から見た外観図。
【図５】（ａ）は同送信機の蓋の表面の平面図、（ｂ）は同送信機の蓋の裏面の平面図、（ｃ）は（ａ）におけるＢ−Ｂ線断面図。
【図６】（ａ）は本発明の第２の実施形態に係るセキュリティシステムの送信機の蓋を斜め上方から見た外観図、（ｂ）は（ａ）におけるＣ部分での蓋用防水パッキンと箱体用防水パッキンの斜視図、（ｃ）は（ａ）におけるＤ部分での蓋用防水パッキンと箱体用防水パッキンの斜視図。
【図７】（ａ）は同送信機の蓋の表面の平面図、（ｂ）は同送信機の蓋の裏面の平面図、（ｃ）は（ａ）におけるＥ−Ｅ線断面図、（ｄ）は（ａ）におけるＦ−Ｆ線断面図。
【発明を実施するための形態】
【００１１】
（第１の実施形態）
本発明の第１の実施形態に係るセキュリティシステムの送信機について図１乃至図５を参照して説明する。図１に示すように、セキュリティシステム１は、ユーザに所持されＩＤデータを送信するタグと呼ばれる送信機２と、送信機２から送信されたＩＤデータを読み取るタグリーダ３と、タグリーダ３にて判定されたデータを受信するコントローラ４１と、コントローラ４１によって開閉される電気錠４２とを備えている。コントローラ４１はイントラネット等を介してコンピュータ４３と接続されている。電気錠４２は許可されたユーザのみが入室できる部屋の入口扉に設置され、タグリーダ３は入口扉付近に設置される。タグリーダ３は、ＩＤデータが認証されたデータであるか否かの判定結果をコントローラ４１に送信する。コントローラ４１は、判定結果がＯＫの場合には電気錠４２を開き、ＮＧの場合には電気錠４２を施錠された状態に保持する。コンピュータ４３は入室が制限された部屋の施錠を管理する。
【００１２】
図２に示すように、送信機２は、ＩＤデータを記憶する記憶部２１と、ＩＤデータをタグリーダ３に送信する通信部２２と、記憶部２１や通信部２２の動作を制御する制御部２３と、各部に電源を供給する電池２５と、ユーザにより操作され通信部２２からＩＤデータを送信するための送信釦２６とを有している。通信部２２は、ＬＦ通信を行なうＬＦ帯送受信部２２ａと小電力無線信号を送信する小電力送信ＡＳＩＣ２２ｂを有している。タグリーダ３は、ＬＦ通信を行なうＬＦ帯送受信部３１と、小電力無線信号を受信する小電力受信部３２と、これらを制御する制御部３３とを有する。
【００１３】
送信機２とタグリーダ３の間の通信は、ＬＦ通信帯と特定小電力無線とで行なわれる。送信機２がタグリーダ３から約１．５ｍ以内に入ると、送信機２は、タグリーダ３のＬＦ帯送受信部３１からのＬＦ起動信号をＬＦ帯送受信部２２ａで受信し起動する。起動した送信機２の制御部２３は、ＩＤデータを小電力送信ＡＳＩＣ２２ｂからタグリーダ３へ送信する。タグリーダ３は、ＩＤデータを小電力受信部３２によって受信し、ＩＤデータが認証されたデータであるか否かを判定し、その判定結果をコントローラ４１へ送信する。このようにしてユーザがタグリーダ３に近づくだけで自動認証が行なわれ、電気錠４２の開閉が行なわれる。また、ユーザが送信釦２６を押すと、制御部２３がＩＤデータを小電力送信ＡＳＩＣ２２ｂから送信し、手動認証が行なわれる。また、送信機２をタグリーダ３に近づけると、送信機２のＬＦ帯送受信部２２ａとタグリーダ３のＬＦ帯送受信部３１はＬＦ双方向通信を行なってパッシブ認証が行なわれる。
【００１４】
図３に示すように、送信機２は、上述した通信部２２等の電子回路を含む電子部品を収容する箱体５１と、これを覆う蓋５２とから成る直方体形状の筐体５と、蓋５２の表面に取り付けられる電池を覆うように該表面に着脱可能に固定される前面カバー６とを備え、これらは樹脂成型品である。前面カバー６は、筐体５にネジ８により固定される。箱体５１の裏面には送信釦２６が設けられている。
【００１５】
図４及び図５に示すように、箱体５１は、電子部品２４が実装された基板２７を収納している。箱体５１と蓋５２の間には、防水性を確保するための箱体用防水パッキン５３が設けられている。箱体用防水パッキン５３は、樹脂製であって二色成型やインサート成型等によって、図４（ｃ）に示されるように、蓋５２の裏面にその縁近傍の全周に亘って嵌合保持されている。この嵌合保持の構成として、蓋５２の裏面には、図５（ｃ）に示されるように、箱体用防水パッキン５３を嵌合する溝５５が設けられ、溝５５には貫通孔５４が設けられている。箱体用防水パッキン５３は、図４（ｂ）及び図５（ｃ）に示されるように、貫通孔５４に嵌挿されて蓋５２の表面側に突出し蓋５２を係止する抜け止め部５６を有している。こうして、箱体用防水パッキン５３は、蓋５２に嵌合保持されると共に、抜け止め部５６によって蓋５２に係止される。
【００１６】
蓋５２は、貫通穴７２を貫通し箱体５１の内底面の雌ネジ７１に締め付けられるネジ７によって箱体５１に固定される。蓋５２は、その表面に電池２５を固定するための電池ボックス５７を有している。前面カバー６は、その係止片６ａを蓋５２の開口部５２ａに係止させると共に、ネジ８を前面カバー６の貫通穴８２及び蓋５２の貫通穴８３に貫通させ箱体５１内底面の雌ネジ８１に締め付けることにより蓋５２に固定される。電池２５は蓋５２から前面カバー６を外すだけで交換することができるようになっている。
【００１７】
上記のように構成された本実施形態の送信機２においては、箱体用防水パッキン５３が蓋５２に抜け止め状態で嵌合保持されているので、箱体用防水パッキン５３の硬度を防水性の確保のために小さくしたとしても、箱体用防水パッキン５３は蓋５２から外れ難い。これにより組立工程時の作業性は良好となる。
【００１８】
なお、箱体用防水パッキン５３が、抜け止め部５６を有していなくて、貫通孔５４へ嵌挿される部分を有しているだけでも、嵌合保持により、上記作用効果が得られる。
【００１９】
（第２の実施形態）
本発明の第２の実施形態に係るセキュリティシステムの送信機について図６及び図７を参照して説明する。本実施形態に係る送信機２は、第１の実施形態の構成に加えて蓋５２と前面カバー６との間の防水性を確保するための蓋用防水パッキン９１を備えている。
【００２０】
蓋用防水パッキン９１は、蓋５２の表面の縁近傍全周に亘って設けられ、蓋５２の裏面側の箱体用防水パッキン５３と一部で連結されて一体構成とされている。すなわち、蓋５２は両パッキン５３、９１を連結するための貫通孔５４を有し、蓋５２の表面に蓋用防水パッキン９１を嵌合する溝９２を有している。蓋用防水パッキン９１と箱体用防水パッキン５３は、二色成型やインサート成型等によって成型され、貫通孔５４を介して連結され、蓋５２に保持されている。
【００２１】
ここに、蓋用防水パッキン９１と箱体用防水パッキン５３は、蓋５２を挟んで表裏同位置にあるのが望ましいが、前面カバー６の形態等によっては、同位置にない場合がある。図６（ａ）のＣ部分のように両パッキン９１、５３が同位置にある場合、両パッキン９１、５３は、図６（ｂ）及び図７（ｃ）に示されるように、貫通孔５４を介して直接接続される。他方、図６（ａ）のＤ部分のように、両パッキン９１、５３が同位置になく、ずれている場合は、図６（ｃ）及び図７（ｄ）に示されるように、両パッキン９１、５３のいずれか一方が配設されている箇所に貫通孔５４は設けられ、パッキン９１、５３の他方は、貫通孔５４の位置まで延長して形成される。
【００２２】
上記のように構成された本実施形態の送信機２においては、蓋用防水パッキン９１と箱体用防水パッキン５３とが貫通孔５４を介して接続されているので、両パッキン９１、５３の硬度を防水性の確保のために小さくしたとしても、両パッキン９１、５３が蓋５２から外れ難い。これにより組立工程時の作業性が良好となり、また、電池２５交換時の前面カバー６の開閉及び電池交換が行ない易くなる。
【００２３】
また、蓋用防水パッキン９１と箱体用防水パッキン５３とを上述のように貫通孔５４
を介して接続せずに、それぞれを第１の実施形態と同様に、抜け止め部５６によって蓋５２に嵌合保持されるようにしてもよい。
【００２４】
なお、本発明は、上記実施形態の構成に限られず、発明の趣旨を変更しない範囲で種々の変形が可能である。例えば、溝５５、９２は設けなくても構わない。
【符号の説明】
【００２５】
１  セキュリティシステム
２  送信機
２４  電子部品
２７  基板
４２  電気錠
５  筐体
５１  箱体
５２  蓋
５３  箱体用防水パッキン
５４  貫通孔
６  前面カバー
９１  蓋用防水パッキン
【図１】
2011009458.tif 000003
【図２】
2011009458.tif 000004
【図３】
2011009458.tif 000005
【図４】
2011009458.tif 000006
【図５】
2011009458.tif 000007
【図６】
2011009458.tif 000008
【図７】
2011009458.tif 000009